(57)【特許請求の範囲】
【請求項１】
媒体を収納する収納空間を内部に有する媒体収納庫であって、
内部構造体であるフレームと、
前記収納空間を形成する紙幣ガイドと、
バッテリとを有し、
前記バッテリは、前記フレームと前記紙幣ガイドとの間に配置されており、
前記紙幣ガイドは、前記フレームに対して取り付け及び取り外し可能に形成されており、前記フレームに取り付けられることによって、前記バッテリの一側面の全部又は一部を覆うカバーとして機能する
ことを特徴とする媒体収納庫。
【請求項２】
媒体を収納する収納空間を内部に有する媒体収納庫であって、
内部構造体であるフレームと、
前記収納空間を形成する紙幣ガイドと、
バッテリとを有し、
前記バッテリは、前記フレームと前記紙幣ガイドとの間に配置されており、
前記紙幣ガイドは、前記フレームに対して取り付け及び取り外し可能に形成されているとともに、前記紙幣ガイドの表面は、前記収納空間を形成するガイド面として形成されており、また、前記紙幣ガイドの裏面は、前記バッテリの一側面の全部又は一部を覆うカバー面として形成されている
ことを特徴とする媒体収納庫。
【請求項３】
媒体を収納する収納空間を内部に有する媒体収納庫であって、
内部構造体であるフレームと、
前記収納空間を形成する紙幣ガイドと、
バッテリとを有し、
前記バッテリは、前記フレームと前記紙幣ガイドとの間に配置されており、
前記紙幣ガイドは、前記フレームに対して取り付け及び取り外し可能に形成されているとともに、前記収納空間の前後左右の方向に配置されており、
前記バッテリは、前後左右のいずれか１乃至複数の方向に配置された前記紙幣ガイドと前記フレームとの間に配置されている
ことを特徴とする媒体収納庫。
【請求項４】
媒体を収納する収納空間を内部に有する媒体収納庫であって、
内部構造体であるフレームと、
前記収納空間を形成する紙幣ガイドと、
バッテリとを有し、
前記バッテリは、前記フレームと前記紙幣ガイドとの間に配置されており、
前記紙幣ガイドは、前記フレームに対して取り付け及び取り外し可能に形成されており、
前記バッテリは、二次電池であり、
さらに、前記媒体を搬送する媒体搬送手段と、前記二次電池を充電する非接触電力供給手段の受電装置とを有し、
前記非接触電力供給手段の電力供給量は、前記媒体搬送手段の最大消費電力量よりも少ない
ことを特徴とする媒体収納庫。
【請求項５】
請求項１乃至請求項４のいずれか一項に記載の媒体収納庫において、
さらに、前記媒体収納庫が具備する各種の機能を制御する制御部を有し、
前記バッテリは、前記制御部に電力を供給する
ことを特徴とする媒体収納庫。
【請求項６】
請求項５に記載の媒体収納庫において、
前記紙幣ガイドは、前記フレームに取り付けられることによって、前記制御部の一側面の全部又は一部を覆うカバーとして機能する
ことを特徴とする媒体収納庫。
【請求項７】
請求項５又は請求項６に記載の媒体収納庫において、
前記紙幣ガイドは、前記フレームに取り付けられることによって、前記制御部と前記バッテリとを接続するコネクタの一側面を覆うカバーとして機能する
ことを特徴とする媒体収納庫。
【請求項８】
請求項５乃至請求項７のいずれか一項に記載の媒体収納庫において、
前記制御部は、コネクタ実装面が前記収納空間の方を向くように、配置されている
ことを特徴とする媒体収納庫。
【請求項９】
請求項５乃至請求項８のいずれか一項に記載の媒体収納庫において、
前記紙幣ガイドは複数の部分からなり、前記紙幣ガイドの１つの部分が前記バッテリの一側面の全部又は一部を覆うカバーとして機能し、前記紙幣ガイドの他の１つの部分が前記制御部の一側面の全部又は一部を覆うカバーとして機能する
ことを特徴とする媒体収納庫。
【請求項１０】
現金を取り扱う現金取扱装置であって、
請求項１乃至請求項９のいずれか一項に記載の媒体収納庫と、
前記媒体収納庫を含む任意の場所に媒体としての紙幣を搬送する搬送部とを有する
ことを特徴とする現金取扱装置。
【発明の詳細な説明】
【技術分野】
【０００１】
本発明は、媒体を収納する媒体収納庫、及び、当該媒体収納庫を搭載する現金取扱装置に関する。
【背景技術】
【０００２】
従来から、キャッシュディスペンサ（ＣＤ）や現金自動預け払い機（ＡＴＭ）等の現金取扱装置に搭載され、紙幣等の媒体を繰り出し可能に収納する媒体収納庫（紙幣カセット）が存在する。従来の媒体収納庫は、任意の構成要素に電力を供給するバッテリを内蔵しており、専用のカバーでバッテリを覆う構成になっていた（例えば、特許文献１参照）。したがって、従来の媒体収納庫は、バッテリの交換作業を行う場合に、カバーを取り外す必要があった。
【先行技術文献】
【特許文献】
【０００３】
【特許文献１】特開２００６-２３５９８７号公報（図５）
【発明の概要】
【発明が解決しようとする課題】
【０００４】
従来の媒体収納庫は、バッテリ専用のカバーを有するため、部品点数の増加を招き、その結果、単価の上昇を招いてしまう、という課題があった。
【０００５】
本発明は、前記した課題を解決するためになされたものであり、部品点数を低減した媒体収納庫、及び、当該媒体収納庫を搭載する現金取扱装置を提供することを主な目的とする。
【課題を解決するための手段】
【０００６】
前記目的を達成するため、第１発明は、媒体を収納する収納空間を内部に有する媒体収納庫であって、内部構造体であるフレームと、前記収納空間を形成する紙幣ガイドと、バッテリとを有し、前記バッテリは、前記フレームと前記紙幣ガイドとの間に配置されており、前記紙幣ガイドは、前記フレームに対して取り付け及び取り外し可能に形成されており、前記フレームに取り付けられることによって、前記バッテリの一側面の全部又は一部を覆うカバーとして機能する構成とする。
また、第２発明は、媒体を収納する収納空間を内部に有する媒体収納庫であって、内部構造体であるフレームと、前記収納空間を形成する紙幣ガイドと、バッテリとを有し、前記バッテリは、前記フレームと前記紙幣ガイドとの間に配置されており、前記紙幣ガイドは、前記フレームに対して取り付け及び取り外し可能に形成されているとともに、前記紙幣ガイドの表面は、前記収納空間を形成するガイド面として形成されており、また、前記紙幣ガイドの裏面は、前記バッテリの一側面の全部又は一部を覆うカバー面として形成されている構成とする。
また、第３発明は、媒体を収納する収納空間を内部に有する媒体収納庫であって、内部構造体であるフレームと、前記収納空間を形成する紙幣ガイドと、バッテリとを有し、前記バッテリは、前記フレームと前記紙幣ガイドとの間に配置されており、前記紙幣ガイドは、前記フレームに対して取り付け及び取り外し可能に形成されているとともに、前記収納空間の前後左右の方向に配置されており、前記バッテリは、前後左右のいずれか１乃至複数の方向に配置された前記紙幣ガイドと前記フレームとの間に配置されている構成とする。
また、第４発明は、媒体を収納する収納空間を内部に有する媒体収納庫であって、内部構造体であるフレームと、前記収納空間を形成する紙幣ガイドと、バッテリとを有し、前記バッテリは、前記フレームと前記紙幣ガイドとの間に配置されており、前記紙幣ガイドは、前記フレームに対して取り付け及び取り外し可能に形成されており、前記バッテリは、二次電池であり、さらに、前記媒体を搬送する媒体搬送手段と、前記二次電池を充電する非接触電力供給手段の受電装置とを有し、前記非接触電力供給手段の電力供給量は、前記媒体搬送手段の最大消費電力量よりも少ない構成とする。
【０００７】
また、第５発明は、現金を取り扱う現金取扱装置であって、第１発明に係る媒体収納庫と、前記媒体収納庫を含む任意の場所に媒体としての紙幣を搬送する搬送部とを有する構成とする。
【発明の効果】
【０００８】
本発明によれば、部品点数を低減した媒体収納庫、及び、当該媒体収納庫を搭載する現金取扱装置を提供することができる。
【図面の簡単な説明】
【０００９】
【図１】実施形態１に係る媒体収納庫を搭載する現金取扱装置の内部構成を示す模式図である。
【図２】実施形態１に係る媒体収納庫の構成を示す斜視断面図である。
【図３】実施形態１に係る媒体収納庫の構成を示す側面視断面図である。
【図４】実施形態１に係る媒体収納庫の構成を示す上面視断面図である。
【図５】実施形態１に係る媒体収納庫の後方の紙幣ガイドの構成を示す図である。
【図６】実施形態２に係る媒体収納庫の構成を示す上面視断面図である。
【図７】変形例に係る後方の紙幣ガイドの構成を示す図である。
【図８】実施形態３に係る媒体収納庫の構成を示す上面視断面図である。
【図９】実施形態４に係る媒体収納庫の構成を示す上面視断面図である。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
［実施形態１］
本実施形態１に係る媒体収納庫１（図１及び図２参照）は、キャッシュディスペンサ（ＣＤ）や現金自動預け払い機（ＡＴＭ）等の現金取扱装置に搭載され、紙幣等の媒体を繰り出し可能に収納する装置である。ここでは、現金取扱装置が現金自動預け払い機（ＡＴＭ）であり、媒体が紙幣である場合を想定して説明する。
【００１２】
＜現金取扱装置の構成＞
以下、図１を参照して、本実施形態１に係る媒体収納庫１を搭載する現金取扱装置１０１の構成につき説明する。図１は、現金取扱装置１０１の内部構成を示す模式図である。
【００１３】
図１に示すように、現金取扱装置１０１は、接客部１０３、鑑別部１０４、一時保留部１０５、リジェクト庫１０６、振分搬送部１０７、及び、媒体収納庫１を有している。
【００１４】
接客部１０３は、媒体（紙幣）の装置の内部への取り込みや装置の外部への放出を行う構成要素である。
鑑別部１０４は、媒体の金種や真贋等を鑑別する構成要素である。
一時保留部１０５は、媒体を一時的に保留する部位である。
リジェクト庫１０６は、再使用不能な媒体を収納する収納庫である。
振分搬送部１０７は、媒体を任意の媒体収納庫１に振り分けながら搬送する機構である。
媒体収納庫１は、再使用可能な媒体を収納する収納庫である。媒体収納庫１は、現金取扱装置１０１に対して取り付け及び取り外しが自在なユニットとして構成されている。
【００１５】
現金取扱装置１０１は、主な機能が、媒体の装置の内部への取り込みや装置の外部への放出を行う上部ユニット１０２と、媒体収納庫１を保管する下部ユニット１０８とに分かれている。接客部１０３、鑑別部１０４、一時保留部１０５、及び、リジェクト庫１０６は、上部ユニット１０２に設けられている。一方、振分搬送部１０７、及び、媒体収納庫１は、下部ユニット１０８に設けられている。
【００１６】
上部ユニット１０２と下部ユニット１０８との間には、受渡ガイド１１０が設けられている。受渡ガイド１１０は、上部ユニット１０２と下部ユニット１０８との間で行われる媒体の受け渡しをガイドする構成要素である。
【００１７】
現金取扱装置１０１は、媒体収納庫１に対する不正行為を防止するために、頑丈な金庫１１１で媒体収納庫１の周囲を覆っている。
【００１８】
＜媒体収納庫の構成＞
以下、図２〜図４を参照して、媒体収納庫１の構成につき説明する。図２は、媒体収納庫１の構成を示す斜視断面図である。図３は、媒体収納庫１の構成を示す側面視断面図である。図４は、媒体収納庫１の構成を示す上面視断面図である。
【００１９】
ここでは、複数個の同じ構成要素の中で前後左右に配置された構成要素を区別して説明する場合に、前方向に配置された構成要素に対して符号の末尾に「Ｆ」を付し、後方向に配置された構成要素に対して符号の末尾に「Ｒｅ」を付し、右方向に配置された構成要素に対して符号の末尾に「Ｒ」を付し、左方向に配置された構成要素に対して符号の末尾に「Ｌ」を付して説明する。
【００２０】
図２に示すように、媒体収納庫１は、箱状の筺体２を有している。筺体２の断面形状は、上面視において、左右方向を長手方向とし、前後方向を短手方向とする、矩形状になっている。
【００２１】
筺体２は、受渡口２ａ、及び、扉３を備えている。図２は、扉３を開けた状態の媒体収納庫１の構成を示している。
受渡口２ａは、現金取扱装置１０１の搬送路（具体的には、図１に示す振分搬送部１０７）との間で紙幣を受け渡す開口部である。
扉３は、筺体２の内部を選択的に閉鎖状態又は開放状態にする部材である。
【００２２】
筺体２の内部には、ステージ１５が配置されている。ステージ１５の形状は、上面視において、左右方向を長手方向とし、前後方向を短手方向とする、矩形状の基体部分をベースにし、矩形状の基体部分の前辺中央部分と前辺右部分と前辺左部分とに突出部を設けた形状になっている（図４参照）。ステージ１５の上面は、平坦面状に形成されており、紙幣が上に集積される。ステージ１５は、図示せぬ駆動手段によって上下方向に移動可能であり、ステージ１５の上面に紙幣が集積されるにつれて下降する構成になっている。
【００２３】
ステージ１５の周囲には、４つの紙幣ガイド９が配置されている。具体的には、紙幣ガイド９Ｆがステージ１５の前方に配置されており、紙幣ガイド９Ｒｅがステージ１５の後方に配置されており、紙幣ガイド９Ｌがステージ１５の左方に配置されており、紙幣ガイド９Ｒがステージ１５の右方に配置されている。
【００２４】
したがって、紙幣ガイド９Ｆ，９Ｒｅは、ステージ１５の長手方向側辺（すなわち、ステージ１５の上面に集積される紙幣の長手方向側辺）に対向している。一方、紙幣ガイド９Ｌ，９Ｒは、ステージ１５の短手方向側辺（すなわち、ステージ１５の上面に集積される紙幣の短手方向側辺）に対向している。
【００２５】
各紙幣ガイド９のステージ１５に対向する内壁面は、平坦面状に形成されている。この内壁面は、紙幣をステージ１５の上面に集積させる際に、紙幣の側辺に当接して、紙幣を整列させるガイド面として機能する。各紙幣ガイド９は、それぞれの内壁面（ガイド面）が上下方向（鉛直方向）に延在するように、配置されている。
【００２６】
４つの紙幣ガイド９Ｆ，９Ｒｅ，９Ｌ，９Ｒのうち、後方の紙幣ガイド９Ｒｅは、筺体２の内部の所定の位置に固定設置されている。そのため、紙幣ガイド９Ｒｅは、紙幣をステージ１５の上面に集積させる際に、紙幣を前後方向の所定位置に集積させる基準の部材として機能する。一方、他の紙幣ガイド９Ｆ，９Ｌ，９Ｒは、ステージ１５のそれぞれに対向する側辺に対して、近接方向又は離間方向に移動可能な構成になっている。
【００２７】
媒体収納庫１は、４つの紙幣ガイド９Ｆ，９Ｒｅ，９Ｌ，９Ｒによって囲まれた収納空間４に紙幣を集積することができる構成になっている。収納空間４は、内部に収納される紙幣のサイズよりも数ミリメートル程度大きく形成されている。収納空間４は、紙幣ガイド９Ｆ，９Ｌ，９Ｒを最も内側に移動させたとき（ステージ１５の側辺に対する近接方向に移動させたとき）に、最小になる。また、収納空間４は、紙幣ガイド９Ｆ，９Ｌ，９Ｒを最も外側に移動させたとき（ステージ１５の側辺に対する離間方向に移動させたとき）に、最大になる。
【００２８】
紙幣ガイド９Ｆは、収納空間４の前側面を形成し、開閉可能に設けられた扉３に固定されている。紙幣ガイド９Ｆ（又は扉３）は、ビルストッパを備える構成にすることができる。一方、紙幣ガイド９Ｒｅ，９Ｌ，９Ｒは、それぞれ、収納空間４の後側面、左側面、及び、右側面を形成し、媒体収納庫１の内部構造体のフレーム８に固定されている。
【００２９】
図３に示すように、媒体収納庫１は、内部に、搬送路５、フレーム８、バッテリ１０、制御基板１１を有している。
搬送路５は、収納空間４と受渡口２ａとの間を結ぶ通路である。
フレーム８は、媒体収納庫１の内部構造体である。
バッテリ１０は、制御基板１１や図示せぬアクチュエータ等の任意の構成要素に電力を供給する電力供給源である。バッテリ１０は、一次電池や二次電池等であり、例えば、円筒電池や積層電池等が用いられる。
制御基板１１は、媒体収納庫１が具備する各種の機能を制御する制御部である。
【００３０】
搬送路５の周囲には、繰り出しローラ６、及び、搬送ローラ７が配置されている。
繰り出しローラ６は、収納空間４に集積された紙幣を搬送路５に繰り出すローラである。
搬送ローラ７は、収納空間４と受渡口２ａとの間で紙幣を搬送するローラである。
【００３１】
搬送ローラ７は、収納空間４から受渡口２ａへの方向及び受渡口２ａから収納空間４への方向のいずれにも紙幣を搬送することができる構成になっている。図３に示す例では、１対の搬送ローラ７が上下に対向されており、紙幣を１枚ずつに分離しながら搬送する構成になっている。しかしながら、複数対の搬送ローラ７が上下に対向配置されていてもよい。
繰り出しローラ６及び搬送ローラ７は、図示せぬアクチュエータによって駆動される。
【００３２】
図４に示すように、本実施形態１では、フレーム８は、上面視において、Ｕ字状に形成されている。そして、図３及び図４に示すように、Ｕ字状に形成されたフレーム８の後方部分８Ｒｅの内壁面には、１つの箱状の凹部１８が形成されている。凹部１８は、バッテリ１０が配置されるバッテリ空間として機能する。
【００３３】
本実施形態１では、媒体収納庫１は、バッテリ１０と制御基板１１とが後方の紙幣ガイド９Ｒｅと筺体２との間に配置された構成になっている。例えば、バッテリ１０は、フレーム８の後方部分８Ｒｅの内壁面に形成された凹部１８に収納されている。一方、制御基板１１は、フレーム８の後方部分８Ｒｅと筺体２との間に配置されている。
【００３４】
このような媒体収納庫１は、バッテリ１０と制御基板１１とが比較的離間して配置された構成になっている。そのため、媒体収納庫１は、バッテリ１０と制御基板１１との間に中継コネクタ１３を配置し、電力を中継コネクタ１３で中継させることによって、バッテリ１０から制御基板１１に電力を供給する構成になっている。
【００３５】
具体的には、中継コネクタ１３が、バッテリ１０と制御基板１１との間に配置されている。バッテリ１０は、ケーブル１４ａを介して中継コネクタ１３と接続されている。ケーブル１４ａ及び中継コネクタ１３は、バッテリ１０とともに、凹部１８に収納されている。
【００３６】
一方、制御基板１１は、ケーブル１４ｂを介して中継コネクタ１３と接続されている。制御基板１１は、コネクタ実装面１１ａが収納空間４の方を向くように、配置されている。コネクタ実装面１１ａには、バッテリ１０と接続するための基板コネクタ１２が設けられている。基板コネクタ１２には、ケーブル１４ｂが接続されている。
【００３７】
図３及び図４に示す例では、凹部１８は、１本のバッテリ１０しか収納されていない。しかしながら、凹部１８は、複数本のバッテリ１０を収納できるように形成することができる。この場合に、各バッテリ１０は、並列に接続される。これにより、媒体収納庫１は、比較的長期間、制御基板１１に電力を供給することができる。なお、各バッテリ１０は、直列に接続するようにしてもよい。
【００３８】
なお、制御基板１１は、例えば、無線又は有線で現金取扱装置１０１の制御部と通信する通信機能や、媒体収納庫１の内部の紙幣の有高を監視する監視機能、バッテリ１０の残量を検知する機能、図示せぬアクチュエータを駆動して紙幣の搬送を制御する搬送制御機能等を備えている。制御基板１１は、例えば、取引処理が実行された場合に、現金取扱装置１０１の制御部と通信して、媒体収納庫１の内部の紙幣の有高を現金取扱装置１０１の制御部に通知する。また、制御基板１１は、例えば、バッテリ１０の残量が少なくなった場合や、バッテリ１０の残量がゼロになった場合に、現金取扱装置１０１の制御部と通信して、バッテリ１０の交換を要求する。
【００３９】
制御基板１１は、例えば、以下のような防盗機能を備えるように構成することもできる。例えば、現金取扱装置１０１には、現金取扱装置１０１を破壊して、内部に収納されている紙幣を盗む犯罪行為（非常事態）の発生時に、液体（インク）を紙幣に噴射して紙幣を汚損させる機能が付与されている。ここで、「汚損」とは、液体が紙幣の内部に浸透している状態を意味している。この機能は、例えば、媒体収納庫１に液体噴射機構を設けることによって実現される。液体噴射機構は、仮に、前記した犯罪行為（非常事態）が発生することがあった場合に、媒体収納庫１の内部に収納されている紙幣を汚損させて、紙幣を使用することが困難な状態にする。これによって、液体噴射機構は、盗まれた紙幣が使用されることを防止する。また、液体噴射機構は、仮に、盗まれた紙幣が使用されるようなことがあった場合に、盗まれた紙幣が使用されたことを発見し易くするとともに、盗まれた紙幣を使用した人物を特定し易くし、もって、前記した犯罪行為（非常事態）が再度発生することを抑止する。
【００４０】
＜後方の紙幣ガイドの構成＞
本実施形態１では、後方の紙幣ガイド９Ｒｅは、フレーム８に対して取り付け及び取り外し可能に形成されている。そして、バッテリ１０は、フレーム８の後方部分８Ｒｅと後方の紙幣ガイド９Ｒｅとの間に配置されている。
【００４１】
後方の紙幣ガイド９Ｒｅの表面は、収納空間４を形成するガイド面として形成されている。また、後方の紙幣ガイド９の裏面は、バッテリ１０の一側面の全部又は一部を覆うカバー面として形成されている。
【００４２】
以下、図５を参照して、後方の紙幣ガイド９Ｒｅの構成につき説明する。図５は、後方の紙幣ガイド９Ｒｅの構成を示す図である。図５（ａ）は、フレーム８から取り外された状態の紙幣ガイド９Ｒｅの構成を示しており、一方、図５（ｂ）は、フレーム８に取り付けるときの紙幣ガイド９Ｒｅの構成を示している。ここでは、作業者が、フレーム８から取り外された状態の紙幣ガイド９Ｒｅをフレーム８に取り付ける場合を想定して説明する。
【００４３】
図５（ａ）に示すように、後方の紙幣ガイド９Ｒｅは、フレーム８に形成された溝部８１に挿入される突起部９１と、雄ネジ１９が挿通される挿通孔９２とを備えている。本実施形態１では、２つの突起部９１が、紙幣ガイド９Ｒｅの右側面に形成されており、また、２つの挿通孔９２が、紙幣ガイド９Ｒｅの内壁面から外壁面に貫通して形成されている。
【００４４】
一方、フレーム８は、紙幣ガイド９Ｒｅの突起部９１が挿入される溝部８１と、雄ネジ１９が取り付けられる雌ネジ部８２（図５（ｂ）参照）とを備えている。本実施形態１では、紙幣ガイド９Ｒｅの２つの突起部９１に対応するように、２つの溝部８１が、Ｕ字状に形成されたフレーム８の右方部分８Ｒの内壁面から外壁面に貫通して形成されている。また、本実施形態１では、紙幣ガイド９Ｒｅの２つの挿通孔９２に対応するように、２つの雌ネジ部８２がＵ字状に形成されたフレーム８の後方部分８Ｒｅの内壁面から突出して形成されている。
【００４５】
かかる構成において、作業者は、紙幣ガイド９Ｒｅをフレーム８に取り付ける場合に、まず、図５（ａ）に示すように、紙幣ガイド９Ｒｅの２つの突起部９１をフレーム８の２つの溝部８１に挿入させる。このとき、紙幣ガイド９Ｒｅの突起部９１とフレーム８の溝部８１とは、紙幣ガイド９Ｒｅの位置を規定する位置決め部として機能する。したがって、このとき、紙幣ガイド９Ｒｅは、所定の位置に配置される。その結果、紙幣ガイド９Ｒｅの挿通孔９２とフレーム８の雌ネジ部８２とは、一致した状態になる。
【００４６】
次に、作業者は、雄ネジ１９を紙幣ガイド９Ｒｅの挿通孔９２に貫通させてフレーム８の雌ネジ部８２に取り付ける。このとき、紙幣ガイド９Ｒｅの挿通孔９２とフレーム８の雌ネジ部８２と雄ネジ１９とは、紙幣ガイド９Ｒｅをフレーム８に固定する固定部として機能する。したがって、このとき、紙幣ガイド９Ｒｅは、フレーム８に固定される。
【００４７】
紙幣ガイド９Ｒｅをフレーム８に固定したときに、紙幣ガイド９Ｒｅは、バッテリ１０の一側面の全部又は一部を覆う。つまり、紙幣ガイド９Ｒｅは、フレーム８に取り付けられることによって、バッテリ１０の一側面の全部又は一部を覆うカバーとして機能する。
【００４８】
また、このとき、紙幣ガイド９Ｒｅは、制御基板１１とバッテリ１０とを接続する中継コネクタ１３の一側面を覆う。つまり、紙幣ガイド９Ｒｅは、フレーム８に取り付けられることによって、中継コネクタ１３の一側面を覆うカバーとして機能する。
【００４９】
このような媒体収納庫１は、例えば、取引処理の実行により、紙幣が現金取扱装置１０１に入金されると、受渡口２ａを介して紙幣を内部に取り込み、収納空間４に収納する。このとき、媒体収納庫１は、４つの紙幣ガイド９Ｆ，９Ｒｅ，９Ｌ，９Ｒによって、各紙幣の位置のバラつきを数ミリメートルに抑えながら、紙幣をステージ１５の上に積層させる。媒体収納庫１は、収納された紙幣の枚数に応じて、一番上の紙幣の位置（上面）を一定に保つように、ステージ１５の上下方向の位置を制御している。
【００５０】
媒体収納庫１の制御基板１１は、運用中に、バッテリ１０の残量が少なくなった場合や、バッテリ１０の残量がゼロになった場合に、現金取扱装置１０１の制御部と通信して、バッテリ１０の交換を要求する。これに応答して、現金取扱装置１０１の制御部は、任意の通知手段によって、バッテリ１０の交換を作業員に指示する。
【００５１】
作業員は、バッテリ１０の交換を指示されると、媒体収納庫１の扉３を開けて、ステージ１５の上から、媒体収納庫１の内部に収納されている紙幣を取り除く。そして、作業員は、フレーム８から後方の紙幣ガイド９Ｒｅを取り外す。すると、バッテリ１０の一側面が露出する。これにより、バッテリ１０の取り外しが可能な状態になる。
【００５２】
作業員は、ケーブル１４ａ（図４参照）からバッテリ１０を取り外し、代わりに、新品のバッテリ１０をケーブル１４ａに取り付ける。このようにして、作業員は、古いバッテリ１０を新品のバッテリ１０に交換する。
【００５３】
作業員は、バッテリ１０を交換すると、後方の紙幣ガイド９Ｒｅをフレーム８に取り付ける。そして、作業員は、媒体収納庫１の内部に収納されていた紙幣をステージ１５の上に戻した後に、媒体収納庫１の扉３を閉める。これにより、バッテリ１０の交換作業が完了する。
【００５４】
かかる構成において、媒体収納庫１は、後方の紙幣ガイド９Ｒｅでバッテリ１０の一側面の全部又は一部を覆う構成になっている。つまり、後方の紙幣ガイド９Ｒｅは、収納空間４を形成するガイド面としての機能と、バッテリ１０の一側面の全部又は一部を覆うカバー面としての機能との双方の機能を備えている。
【００５５】
このような媒体収納庫１は、後方の紙幣ガイド９Ｒｅがフレーム８に取り付けられている場合に、各紙幣の位置のバラつきを数ミリメートルに抑えながら、紙幣をステージ１５の上に積層させることができる。また、媒体収納庫１は、フレーム８から後方の紙幣ガイド９Ｒｅを取り外すだけで、バッテリ１０を露出させることができ、その結果、バッテリ１０の交換作業を可能にする。
【００５６】
このような媒体収納庫１は、後方の紙幣ガイド９Ｒｅをバッテリ１０のカバーとして機能させることができるため、従来の媒体収納庫と異なり、バッテリ専用のカバーを削除することができる。そのため、媒体収納庫１は、部品点数を低減することができ、その結果、単価を低減させることができる。
【００５７】
なお、作業者は、制御基板１１にアクセスする場合に、フレーム８から後方の紙幣ガイド９Ｒｅを取り外した後に、中継コネクタ１３とケーブル１４ｂとの接続を解除する。そして、作業者は、フレーム８の後方部分８Ｒｅの後方から制御基板１１を引き出すことによって、制御基板１１にアクセスすることができる。
【００５８】
なお、媒体収納庫１は、例えば、図７に示すように、後方の紙幣ガイド９Ｒｅを２つの紙幣ガイド９ａ，９ｂに分割した構成にしてもよい。
【００５９】
以上の通り、本実施形態１に係る媒体収納庫１によれば、部品点数を低減することができる。
【００６０】
［実施形態２］
実施形態１に係る媒体収納庫１は、バッテリ１０と制御基板１１とが比較的離間して配置された構成になっている。
これに対し、本実施形態２では、バッテリ１０と制御基板１１とが実施形態１に係る媒体収納庫１よりも近接して配置された構成になっている媒体収納庫１Ａを提供する。
【００６１】
以下、図６を参照して、本実施形態２に係る媒体収納庫１Ａの構成につき説明する。図６は、媒体収納庫１Ａの構成を示す上面視断面図である。
【００６２】
図６に示すように、本実施形態２に係る媒体収納庫１Ａは、実施形態１に係る媒体収納庫１と比較すると、実施形態１の凹部１８のよりも幅広な凹部１８Ａがフレーム８Ａの後方部分８Ｒｅの内壁面に形成されている点、及び、バッテリ１０と制御基板１１とが凹部１８Ａの内部に配置されている点で相違している。
【００６３】
本実施形態２では、バッテリ１０と制御基板１１とが、フレーム８Ａの後方部分８Ｒｅの内壁面に形成された凹部１８Ａの内部に配置されている。このような媒体収納庫１Ａは、バッテリ１０と制御基板１１とが実施形態１に係る媒体収納庫１よりも近接して配置された構成になっている。そのため、媒体収納庫１Ａは、実施形態１に係る媒体収納庫１と異なり、中継コネクタ１３で中継させることなく、バッテリ１０から制御基板１１に電力を直接供給する構成にすることができる。具体的には、媒体収納庫１Ａは、バッテリ１０と基板コネクタ１２とをケーブル１４ａで直接接続された構成にすることができる。
【００６４】
かかる構成において、媒体収納庫１Ａは、実施形態１に係る媒体収納庫１と同様に、従来の媒体収納庫に用いられていたバッテリ専用のカバーを削除することができる。そのため、媒体収納庫１Ａは、実施形態１に係る媒体収納庫１と同様に、部品点数を低減することができる。
【００６５】
また、媒体収納庫１Ａは、バッテリ１０と基板コネクタ１２とをケーブル１４ａで直接接続された構成になっている。そのため、媒体収納庫１Ａは、実施形態１に係る媒体収納庫１に用いられている中継コネクタ１３及びケーブル１４ｂを削除することができる。したがって、媒体収納庫１Ａは、実施形態１に係る媒体収納庫１よりも、さらに、部品点数を低減することができる。
【００６６】
また、媒体収納庫１Ａは、バッテリ１０と制御基板１１とがフレーム８Ａの後方部分８Ｒｅの内壁面に形成された凹部１８Ａの内部に配置されている。そのため、媒体収納庫１Ａは、フレーム８Ａから後方の紙幣ガイド９Ｒｅを取り外すだけで、バッテリ１０と制御基板１１とを露出させることができる。したがって、媒体収納庫１Ａは、実施形態１に係る媒体収納庫１と同様の作業を行うことによって、バッテリ１０を交換することができる。
【００６７】
なお、従来の媒体収納庫は、制御基板のコネクタにアクセスするためには、筺体に設けられたカバーを取り外す必要があった。そのため、従来の媒体収納庫は、ファームアップデート等の作業を容易には行うことができなかった。
【００６８】
これに対し、媒体収納庫１Ａは、フレーム８Ａから後方の紙幣ガイド９Ｒｅを取り外すだけで、制御基板１１のコネクタ実装面１１ａを作業者に視認させることができる。したがって、媒体収納庫１Ａは、実施形態１に係る媒体収納庫１よりも容易に、制御基板１１にアクセスすることができる。これにより、媒体収納庫１Ａは、ファームアップデート等の作業を容易に行うことができる。そのため、媒体収納庫１Ａは、ファームアップデート等の作業性を向上させることができる。
【００６９】
＜変形例に係る後方の紙幣ガイドの構成＞
図６に示す例では、媒体収納庫１Ａは、１枚の後方の紙幣ガイド９Ｒｅを有する構成になっている。なお、媒体収納庫１Ａの紙幣ガイド９Ｒｅは、図５に示す媒体収納庫１の紙幣ガイド９Ｒｅと同じ構成になっている。しかしながら、媒体収納庫１Ａは、例えば、図７に示すように、複数枚の後方の紙幣ガイド（図７に示す例では、２枚の後方の紙幣ガイド９ａ，９ｂ）を有する構成に変形することができる。図７は、変形例に係る後方の紙幣ガイド９ａ，９ｂの構成を示す図である。
【００７０】
ここでは、紙幣ガイド９ａが制御基板１１の一側面の全部又は一部を覆う構成になっており、また、紙幣ガイド９ｂがバッテリ１０の一側面の全部又は一部を覆う構成になっている場合を想定して説明する。以下、紙幣ガイド９ａを「基板側ガイド９ａ」と称し、紙幣ガイド９ｂを「バッテリ側ガイド９ｂ」と称する。
【００７１】
図７に示すように、基板側ガイド９ａは、図５に示す紙幣ガイド９Ｒｅと比較すると、左右方向の幅が短い点で相違している。一方、バッテリ側ガイド９ｂは、図５に示す紙幣ガイド９Ｒｅと比較すると、左右方向の幅が短い点、及び、突起部９１が右側面から削除され、その代わりに、上側面に形成されている点で相違している。なお、図７に示す例では、基板側ガイド９ａの左右方向の幅がバッテリ側ガイド９ｂの左右方向の幅よりも長くなっている。しかしながら、バッテリ側ガイド９ｂの左右方向の幅が基板側ガイド９ａの左右方向の幅よりも長くなるようにしてもよい。
【００７２】
また、変形例では、媒体収納庫１Ａは、フレーム８Ｔを有している。フレーム８Ｔは、基板側ガイド９ａ及びバッテリ側ガイド９ｂの上方に配置された部材である。フレーム８Ｔは、バッテリ側ガイド９ｂの突起部９１が挿入される溝８１を備えている。また、図示していないが、変形例では、媒体収納庫１Ａは、基板側ガイド９ａの２つの挿通孔９２及びバッテリ側ガイド９ｂの２つの挿通孔９２に対応するように、４つの雌ネジ部８２がＵ字状に形成されたフレーム８の後方部分８Ｒｅの内壁面から突出して形成されている。
【００７３】
このような変形例では、作業員は、バッテリ１０の交換を指示されると、媒体収納庫１Ａの扉３を開けて、ステージ１５の上から、媒体収納庫１Ａの内部に収納されている紙幣を取り除く。そして、作業員は、フレーム８からバッテリ側ガイド９ｂを取り外す。すると、バッテリ１０の一側面が露出する。これにより、バッテリ１０の取り外しが可能な状態になる。作業員は、古いバッテリ１０を新品のバッテリ１０に交換して、バッテリ側ガイド９ｂをフレーム８に取り付ける。そして、作業員は、媒体収納庫１Ａの内部に収納されていた紙幣をステージ１５の上に戻した後に、媒体収納庫１Ａの扉３を閉める。これにより、バッテリ１０の交換作業が完了する。
【００７４】
なお、作業員は、フレーム８からバッテリ側ガイド９ｂを取り外した後に、フレーム８から基板側ガイド９ａを取り外すことによって、制御基板１１にアクセスしたり、場合によっては制御基板１１を交換したりすることができる。
【００７５】
変形例は、後方の紙幣ガイドを基板側ガイド９ａとバッテリ側ガイド９ｂとに分割することで、バッテリ１０に対して、作業員が効率よくアクセスすることができるように構成している。その理由は、制御基板１１に対する作業員のアクセス頻度よりもバッテリ１０に対する作業員のアクセス頻度の方が圧倒的に多いからである。
【００７６】
このような変形例は、フレーム８からバッテリ側ガイド９ｂを取り外すだけで、バッテリ１０を交換することができる。そのため、変形例は、バッテリ１０の交換のし易さを向上させることができる。
【００７７】
以上の通り、本実施形態２に係る媒体収納庫１Ａによれば、実施形態１に係る媒体収納庫１と同様に、部品点数を低減することができる。
しかも、媒体収納庫１Ａによれば、実施形態１に係る媒体収納庫１よりも、さらに、部品点数を低減することができる。
【００７８】
［実施形態３］
実施形態１に係る媒体収納庫１は、バッテリ１０と制御基板１１とが後方の紙幣ガイド９Ｒｅと筺体２との間に配置された構成になっている。
これに対し、本実施形態３では、扉３の内壁面部分をフレームの一部位と見なし、バッテリ１０と制御基板１１とが前方の紙幣ガイド９Ｆと扉３との間に配置された構成になっている媒体収納庫１Ｂを提供する。
【００７９】
以下、図８を参照して、本実施形態３に係る媒体収納庫１Ｂの構成につき説明する。図８は、媒体収納庫１Ｂの構成を示す上面視断面図である。
【００８０】
図８に示すように、本実施形態３に係る媒体収納庫１Ｂは、実施形態１に係る媒体収納庫１と比較すると、バッテリ１０と制御基板１１とが前方の紙幣ガイド９Ｆと扉３との間に配置されている点、及び、フレーム８の代わりに、フレーム８Ｂを有している点で相違している。
【００８１】
本実施形態３では、バッテリ１０を収納する空間１８Ｂａと制御基板１１を収納する空間１８Ｂｂとが、扉３の内壁面に形成されている。そして、バッテリ１０と制御基板１１とは、ケーブル１４ａによって直接接続されている。なお、バッテリ１０を収納する空間１８Ｂａと制御基板１１を収納する空間１８Ｂｂとは、１つに統合された構成になっていてもよい。
【００８２】
また、媒体収納庫１Ｂは、フレーム８の代わりに、フレーム８Ｂを有している。フレーム８Ｂは、実施形態１のフレーム８と比較すると、凹部１８が削除された形状になっている点で相違している。
【００８３】
かかる構成において、媒体収納庫１Ｂは、実施形態１に係る媒体収納庫１と同様に、従来の媒体収納庫に用いられていたバッテリ専用のカバーを削除することができる。そのため、媒体収納庫１Ｂは、実施形態１に係る媒体収納庫１と同様に、部品点数を低減することができる。
【００８４】
また、媒体収納庫１Ｂは、バッテリ１０と基板コネクタ１２とをケーブル１４ａで直接接続された構成になっている。そのため、媒体収納庫１Ｂは、実施形態１に係る媒体収納庫１に用いられている中継コネクタ１３及びケーブル１４ｂを削除することができる。したがって、媒体収納庫１Ｂは、実施形態１に係る媒体収納庫１よりも、さらに、部品点数を低減することができる。
【００８５】
また、媒体収納庫１Ｂは、バッテリ１０と制御基板１１を扉３の内壁面に配置しているため、例えば、扉３を交換するだけで、新たな機能を容易に付加することができる。例えば、媒体収納庫１Ｂは、扉３を交換するだけで、防盗機能を持たない構成から、防盗機能を持つ構成に容易に変更することができる。
【００８６】
以上の通り、本実施形態３に係る媒体収納庫１Ｂによれば、実施形態１に係る媒体収納庫１と同様に、部品点数を低減することができる。
しかも、媒体収納庫１Ｂによれば、実施形態１に係る媒体収納庫１よりも、さらに、部品点数を低減することができる。
【００８７】
［実施形態４］
本実施形態４では、バッテリ１０と制御基板１１とが左方の紙幣ガイド９Ｌ（又は、右方の紙幣ガイド９Ｒ）と筺体２との間に配置された構成になっている媒体収納庫１Ｃを提供する。
【００８８】
以下、図９を参照して、本実施形態４に係る媒体収納庫１Ｃの構成につき説明する。図９は、媒体収納庫１Ｃの構成を示す上面視断面図である。
【００８９】
図９に示すように、本実施形態４に係る媒体収納庫１Ｃは、実施形態１に係る媒体収納庫１と比較すると、フレーム８の代わりに、フレーム８Ｃを有している点、及び、バッテリ１０と制御基板１１とが左方の紙幣ガイド９Ｌと筺体２との間に配置された構成になっている点で相違している。
【００９０】
フレーム８Ｃは、実施形態１のフレーム８と比較すると、凹部１８が後方部分８Ｒｅから削除され、代わりに、左方部分８Ｌが左方向にずらされた形状になっている点で相違している。
【００９１】
本実施形態４では、フレーム８Ｃの左方部分８Ｌが左方向にずらされているため、空間１８Ｃがフレーム８Ｃの左方部分８Ｌと紙幣ガイド９Ｌとの間に形成されている。そして、バッテリ１０と制御基板１１とは、空間１８Ｃに配置されており、ケーブル１４ａによって直接接続されている。
【００９２】
図９に示す例では、媒体収納庫１Ｃは、バッテリ１０と制御基板１１とが左方の紙幣ガイド９Ｌと筺体２との間に配置された構成になっている。しかしながら、媒体収納庫１Ｃは、バッテリ１０と制御基板１１とが右方の紙幣ガイド９Ｒと筺体２との間に配置された構成（すなわち、図９に示す例に対し、左右が逆の構成）になっていてもよい。
【００９３】
かかる構成において、媒体収納庫１Ｃは、実施形態１に係る媒体収納庫１と同様に、従来の媒体収納庫に用いられていたバッテリ専用のカバーを削除することができる。そのため、媒体収納庫１Ｃは、実施形態１に係る媒体収納庫１と同様に、部品点数を低減することができる。
【００９４】
また、媒体収納庫１Ｃは、バッテリ１０と基板コネクタ１２とをケーブル１４ａで直接接続された構成になっている。そのため、媒体収納庫１Ｃは、実施形態１に係る媒体収納庫１に用いられている中継コネクタ１３及びケーブル１４ｂを削除することができる。したがって、媒体収納庫１Ｃは、実施形態１に係る媒体収納庫１よりも、さらに、部品点数を低減することができる。
【００９５】
以上の通り、本実施形態４に係る媒体収納庫１Ｃによれば、実施形態１に係る媒体収納庫１と同様に、部品点数を低減することができる。
【００９６】
なお、本発明は、前記した実施形態に限定されることなく、本発明の要旨を逸脱しない範囲で種々の変更や変形を行うことができる。
【００９７】
例えば、前記した実施形態は、本発明の要旨を分かり易く説明するために詳細に説明したものである。そのため、本発明は、必ずしも説明した全ての構成を備えるものに限定されるものではない。また、本発明は、ある実施形態の構成の一部を他の実施形態の構成に追加したり、置き換えたりすることができる。また、本発明は、ある実施形態の構成から一部の構成を削除することができる。
【００９８】
また、例えば、本発明に係る媒体収納庫１は、キャッシュディスペンサ（ＣＤ）や現金自動預け払い機（ＡＴＭ）等だけでなく、発券機や、その他の現金取扱装置に用いることができる。
【００９９】
また、例えば、前記した実施形態では、バッテリ１０及び制御基板１１は、４つの紙幣ガイド９Ｆ，９Ｒｅ，９Ｌ，９Ｒの中のいずれかの１つの紙幣ガイド９の内側に集中して配置されている。しかしながら、バッテリ１０及び制御基板１１は、４つの紙幣ガイド９Ｆ，９Ｒｅ，９Ｌ，９Ｒの中のいずれかの複数の紙幣ガイド９の内側に分散して配置することができる。また、バッテリ１０及び制御基板１１は、それぞれ、複数ずつ設けることができ、４つの紙幣ガイド９Ｆ，９Ｒｅ，９Ｌ，９Ｒの中のいずれかの１乃至複数の紙幣ガイド９の内側に任意の組み合わせで配置することができる。
【０１００】
また、例えば、本発明に係る媒体収納庫１は、バッテリ１０が二次電池として構成されている場合に、バッテリ１０を充電する構成にしてもよい。このような構成は、例えば、送電装置と受電装置とによって構成された、公知の非接触電力供給手段を用いることによって実現することができる。具体的には、このような構成は、非接触電力供給手段の送電装置を現金取扱装置に配置するとともに、非接触電力供給手段の受電装置を媒体収納庫１に配置することによって実現することができる。かかる構成において、送電装置は、高周波信号を受電装置に送信し、一方、受電装置は、受信した高周波信号を電力に変換する。これによって、この構成の現金取扱装置は、非接触な状態で電力を媒体収納庫１に供給する。ただし、この構成の現金取扱装置では、媒体収納庫１で消費される最大消費電力量よりも少ない電力量しか媒体収納庫１に供給することができない。つまり、非接触電力供給手段の電力供給量は、アクチュエータ（媒体搬送手段）の最大消費電力量よりも少ない。なお、媒体収納庫１で消費される最大消費電力量は、媒体を搬送するためのアクチュエータ（媒体搬送手段）の最大消費電力量である。しかしながら、この構成の現金取扱装置は、非接触電力供給手段の電力供給量がアクチュエータ（媒体搬送手段）の最大消費電力量よりも少なくても、アクチュエータ（媒体搬送手段）の非駆動中に、非接触電力供給手段で供給した電力を二次電池に充電しておくことにより、アクチュエータの駆動時に、十分な電力量をアクチュエータに供給することができる。したがって、現金取扱装置は、アクチュエータの最大消費電力量よりも少ない電力量しか供給できない非接触電力供給手段を用いても、運用に十分な電力量を媒体収納庫１に供給することができる。また、バッテリ１０は、二次電池として構成されることにより、一次電池を使う場合よりも交換期間を長期化することができる。
【符号の説明】
【０１０１】
１，１Ａ，１Ｂ，１Ｃ    媒体収納庫
２    筺体
２ａ    受渡口
３    扉
４    収納空間
４ａ    基板側空間
４ｂ    バッテリ側空間
５    搬送路
６    繰り出しローラ
７    搬送ローラ
８，８Ａ，８Ｂ，８Ｃ，８Ｔ    フレーム
９（９Ｆ，９Ｒｅ，９Ｌ，９Ｒ）    紙幣ガイド
９ａ    紙幣ガイド（基板側ガイド）
９ｂ    紙幣ガイド（バッテリ側ガイド）
１０    バッテリ
１１    制御基板（制御部）
１１ａ    コネクタ実装面
１２    基板コネクタ
１３    中継コネクタ
１４ａ，１４ｂ    ケーブル
１５    ステージ
１８，１８Ａ    凹部
１８Ｂａ，１８Ｂｂ，１８Ｃ    空間
１９    雄ネジ（固定部）
８１    溝部（位置決め部）
８２    雌ネジ部（固定部）
９１    突起部（位置決め部）
９２    挿通孔（固定部）
１０１    現金取扱装置
１０２    上部ユニット
１０３    接客部
１０４    鑑別部
１０５    一時保留部
１０６    リジェクト庫
１０７    振分搬送部
１０８    下部ユニット
１１０    受渡ガイド
１１１    金庫
【図１】
0006531506.tif 000002
【図２】
0006531506.tif 000003
【図３】
0006531506.tif 000004
【図４】
0006531506.tif 000005
【図５】
0006531506.tif 000006
【図６】
0006531506.tif 000007
【図７】
0006531506.tif 000008
【図８】
0006531506.tif 000009
【図９】
0006531506.tif 000010